(57)【特許請求の範囲】
【請求項１】
子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、
前記暗証番号入力により解錠のみか、解錠とともに録画も行うかのいずれかに設定できる設定手段と、
前記暗証番号の入力開始を検出する暗証番号入力検出手段と、
前記設定手段により解錠とともに録画が設定されている場合、前記暗証番号入力開始を検出したとき、カメラ撮影部を構成するＣＣＤの電源をオンするＣＣＤ電源オン手段とを備え、
前記暗証番号確定による解錠前に前記ＣＣＤによる画像取込を可能に構成したことを特徴とする録画機能を備えたドアホンシステム。
【発明の詳細な説明】
【０００１】
【発明の属する技術分野】
本発明は、ドア側に子機を室内に親機を設置してなり、呼出し機能、撮影記録機能および暗証番号によるドア解錠機能を有するドアホンシステムに関する。
【０００２】
【従来の技術】
来訪者により呼出ボタンが押された場合（特開平３−１２４１８８）や外部センサによってドアの前に立つ人物が検知された場合（特開平３−１９２９８６）に自動的に来訪者を撮影録画するドアホン装置が提案されている。
【０００３】
【発明が解決しようとする課題】
上記装置において、暗証番号入力により解錠して入る場合、誰が入ったかを確認できるシステムが要請されている。従来のシステムでは、訪問者ではないのに呼出ボタンが押されないことや、外部センサで録画しても室内に入ったか否かまで確認できないという問題があるからである。
また、親機のＴＶモニタの電源がオフになっている待機状態では、省電力のためカメラ撮像部のＣＣＤの電源も同様にオフ状態となっている。そのため、呼出ボタンなどの操作信号により録画する際には、ＣＣＤの電源がオンとなって画像が安定するまでに数秒かかり、遅延して録画が開始される。しかしながら、呼出ボタンによる場合は、訪問者は室内の者が応答するまで、子機の前で待つことになるため、数秒後に子機の画像を録画しても、故意に訪問者が子機の撮影エリアから外れて呼出ボタンを押していない限り、訪問者を録画することは可能である。
【０００４】
ところで、暗証番号を押して入室する人物を録画することを考えた場合、撮影可能になったときには解錠されて子機の撮像エリアにその人物が既にいないことがあり得る。
本発明の目的は、上記要請に応えるもので、暗証番号により解錠する場合、その人物の画像を記録し、しかも撮り逃しなく確実に録画できる録画機能を備えたドアホンシステムを提供することにある。
【０００５】
【課題を解決するための手段】
前記目的を達成するために本発明によるドアホンシステムは、子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、前記暗証番号入力により解錠のみか、解錠とともに録画も行うかのいずれかに設定できる設定手段と、前記暗証番号の入力開始を検出する暗証番号入力検出手段と、前記設定手段により解錠とともに録画が設定されている場合、前記暗証番号入力開始を検出したとき、カメラ撮影部を構成するＣＣＤの電源をオンするＣＣＤ電源オン手段とを備え、前記暗証番号確定による解錠前に前記ＣＣＤによる画像取込を可能に構成されている。
【０００６】
【作用】
上記構成によれば、暗証番号入力により解錠して入室する場合も、誰が入ったか撮り逃すことなく確実に入室者を撮影記録でき、防犯機能をさらに強化できる。
【０００７】
【発明の実施の形態】
以下、図面を参照して本発明の実施の形態を詳しく説明する。
図１は本発明による録画機能を備えたドアホンシステムの使用例を説明するための図である。
暗証番号を知る者４は、まず、ドアホン装置１の下面に設けられているテンキーカバーのつまみ１ｂを引っ張ることによりテンキーカバー１ａを（ａ）に示すように開く。
つぎに例えば暗証番号が「３」「２」「１」の場合、「３，２，１，＃  」を押す。暗証番号が正しい場合、表示ランプが点灯し解錠されたことを示す。
【０００８】
解錠により（ｂ）に示すようにドアを開けることができ入室できる。
解錠後、一定時間（１０秒程度まで設定できる）後に自動的に旋錠される。
暗証番号の入力間違いはクリアボタンで再度入力でき、一定回数間違い入力をすると、テンキー操作は受け付けなくなる。解錠後、一定時間以上ドアが開放状態になった場合には、親機側でアラームが鳴動する。
【０００９】
ここで、後述の設定手段により、解錠とともに録画を行うように設定されている場合には、暗証番号入力開始によってカメラ２の撮像部のＣＣＤに電源が投入される。したがって、暗証番号の入力を終了し確定したときには、ＣＣＤで暗証番号を知る者４の姿を確実に撮影し１駒記録することができる。カメラ２はドアホン装置１に内蔵され、赤外照明となっているので、暗証番号を知る者４は撮影されていることに気付くことはない。
なお、暗証番号でないキーが押された場合にもＣＣＤに電源が投入されるが、解錠および録画をすることなく一定時間後にＣＣＤの電源をオフする。
【００１０】
図２は、本発明による録画機能を備えたドアホンシステムの概略ブロック図である。
子機１側は子機ＣＰＵ，周辺回路７とカメラのＣＣＤ８を含んで構成されている。子機ＣＰＵ，周辺回路７には呼出ボタン入力，キーマトリックスＳＷ入力部と、解錠出力，サイレントアラーム出力をそれぞれ備えている。また、親機ＣＰＵ，周辺回路９にチャイム音有り録画指示信号と、チャイム音無し録画指示信号（暗証番号により解錠する場合）を送出することができる。チャイム音有り録画指示信号とチャイム音無し録画指示信号は、２つの信号線でそれぞれ送出され、オンオフ信号のＬ→Ｈレベル変化か、またはＨ→Ｌレベル変化で指示するようになっている。
【００１１】
図３は、本発明による録画機能を備えたドアホンシステムの回路の実施の形態を示すブロック図である。
子機の各回路は子機ＣＰＬＤ（CMOS PROGRAMMABLE LOGIC DEVICE) １２により相互に接続されている。Ｅ2 ＰＲＯＭ１５には警告の時間，暗証番号，解錠時の自動録画有り、無しの設定データなどが格納され、子機ＲＯＭ１３には子機全体を制御するプログラムなどが格納されている。子機ＲＡＭ１４は、データを処理するための作業用領域であり、この作業領域において例えば信号にフラグを立てるなどの処理が行われる。子機スピーカ２０と子機マイク２１により親機と通話が可能である。
子機ＣＰＵ１１は、録画が設定されている場合には暗証番号が入力されたときチャイム音無しの録画指示と解錠動作を行う。録画が設定されていない場合には、解錠動作のみを行う。また、設定によりチャイム音有り録画指示信号などの呼出動作，自己の意思によらない暗証番号入力による解錠動作のとき、アラーム出力とチャイム音無し録画指示信号（子機ＣＰＬＤ１２の出力ＳＡ）を送出する制御を行う。
【００１２】
親機の各回路は親機ＣＰＬＤ（CMOS PROGRAMMABLE LOGIC DEVICE) ３２により相互に接続されている。フラッシュＲＯＭ３５は、子機側から送られてくる撮影画像を録画するためのメモリである。親機ＲＯＭ３３には親機全体を制御するプログラムなどが格納されている。親機ＲＡＭ３４は、データを処理するための作業用領域であり、この作業領域において例えば信号にフラグを立てるなどの処理が行われる。
親機ＣＰＵ３１により子機に内蔵されている電源回路１９が制御され、カメラを構成するＣＣＤ８と赤外ＬＥＤ照明部１６とが起動させられる。ＣＣＤ８では１駒の画像信号が取り入れられ、この１駒画像信号は、デコーダ３９でディジタル信号に変換される。そして、親機ＣＰＵ３１の制御の下に、ディジタル信号に変換された１駒画像信号は、ＪＰＥＧ変換器４２によりＪＰＥＧ形式のファイルに変換され、年月日や時刻情報とともに、親機ＲＡＭ３４を経由してフラッシュＲＯＭ３５に記録される。
【００１３】
カメラからの画像信号はエンコーダ３６でアナログ信号に復元されてオーバーレイＲＡＭ４１を介したスーパーインポーズとともにモニタ３８に表示される。また、外部ＶＴＲ３７に接続して記録することもできる。年月日や時刻情報は、リアルタイムクロックＩＣ４５より出力されるクロックから作られる。チャイム音はメロディＩＣにより作られ、スピーカ４６より出力される。親機の送受話器には親機スピーカ４９と親機マイク４７が内蔵され、子機と通話することができる。なお、親機への画像信号入力として外部ＣＣＤ１７を増設することもできる。
【００１４】
設定手段は子機のテンキー，子機ＣＰＵ１１およびＥ2 ＰＲＯＭ１５の各機能により実現され、子機テンキーの所定ボタンを押すことにより、解錠時の１駒自動録画の有り，無しを設定でき、子機ＣＰＵ１１は解錠時の１駒自動録画の有り，無しをＥ2 ＰＲＯＭ１５に記録する。
暗証番号入力検出手段およびＣＣＤ電源オン手段は、子機ＣＰＵ１１の機能により実現され、子機ＣＰＵ１１は１駒自動録画が設定されている場合、テンキー入力検出によって電源回路１９を制御してＣＣＤ８および赤外ＬＥＤ照明部の電源をオンし、撮影ができるようにする。
【００１５】
図４は、図３のドアホンシステムの動作を説明するためのフローチャートである。
電源オン（ステップ（以下「Ｓ」という）４０１）により親機の電源回路４３から親機ＣＰＵ３１などに電源が接続され、さらに子機ＣＰＵ１１に電力が供給される待機状態となる。カメラ部とモニタには電源は接続されていない。
子機ＣＰＵ１１は呼出ボタンがオンになったか否か監視している（Ｓ４０２）。訪問者があってオンになった場合には１駒撮影を含む呼出処理を行う（Ｓ４０３）。呼出処理は子機よりチャイム音有り録画指示信号を受けた親機がチャイム音の鳴動，ＣＣＤ電源のオン，ＣＲＴ電源のオンおよび１駒録画をする動作である。
【００１６】
呼出ボタンがオフの場合には、子機ＣＰＵ１１は操作部のテンキーが操作されたか否かを監視する（Ｓ４０４）。操作されていない場合にはＳ４１３に移行する。
テンキーが操作された場合には子機ＣＰＵ１１はＣＣＤ８および赤外ＬＥＤ照明部１６の電源を投入して撮影可能とする。
【００１７】
そして、暗証番号が正常に入力され有効か否かを判断する（Ｓ４０６）。無効の場合にはＣＣＤおよび赤外ＬＥＤ照明部の電源をオフしてＳ４０２に戻る。テンキーが１０秒以上途切れるか、押された暗証番号が無効である場合である。有効である場合には通常の解錠か否かを判断する（Ｓ４０８）。通常の解錠ではないと、判断した場合にはサイレントアラーム出力処理を行う（Ｓ４０９）。これにより１１０番通報がなされる。そしてＳ４１０に移行する。
一方、通常の解錠の場合にも、録画が必要であるか否か、すなわち、自動録画が有効になっているか否かを判断する（Ｓ４１０）。Ｓ４０９からのサイレントアラームの場合と、１駒自動録画が有効になっている場合には親機ＣＰＵ３１にチャイム無し録画指示信号を送出し、これによりフラッシュＲＯＭ３５が１駒録画を行う（Ｓ４１１）。そして、解錠動作を行う（Ｓ４１２）。また、録画が必要でない場合はそのまま解錠動作を行う。
【００１８】
つぎに操作しなくなってから２分が経過したか否かを判断する（Ｓ４１３）。操作されなくなってから２分以内の場合にはＳ４０２の呼出ボタンがオンか否かの判断動作に戻る。操作をすることなく２分を経過した場合にはＣＲＴ電源をオフし（Ｓ４１４）、さらにＳ４０７のＣＣＤ電源オフに移行する。
上記実施の形態は、１駒録画の例であるが、２駒以上録画しても良い。
【００１９】
【発明の効果】
以上、説明したように本発明は、子機と親機とからなり、子機に設けられた呼出ボタンの操作により親機側で訪問者に対し応対可能であり、子機側に設置されているカメラの画像を記録部に記録し、さらに暗証番号によってドアを解錠する機能を有するドアホンシステムにおいて、暗証番号入力により解錠のみか、解錠とともに録画も行うかのいずれかに設定できる設定手段と、暗証番号の入力開始を検出する暗証番号入力検出手段と、設定手段により解錠とともに録画が設定されている場合、暗証番号入力開始を検出したとき、カメラ撮影部を構成するＣＣＤの電源をオンするＣＣＤ電源オン手段とを備え、暗証番号確定による解錠前にＣＣＤによる画像取込を可能に構成されているので、暗証番号により解錠して入室する場合、入室する者を録画でき、しかも撮り逃がしなく確実に記録でき、防犯機能の強化を図ることができる。例えば、暗証番号により解錠して入室する者の画像を記録しておくことにより、問題が生じた場合、事件解明に役立たせることができる。
【図面の簡単な説明】
【図１】本発明による録画機能を備えたドアホンシステムの使用例を説明するための図である。
【図２】本発明による録画機能を備えたドアホンシステムの概略ブロック図である。
【図３】本発明による録画機能を備えたドアホンシステムの回路の実施の形態を示すブロック図である。
【図４】図３のドアホンシステムの動作を説明するためのフローチャートである。
【符号の説明】
１…ドアホン装置（子機）
２…カメラ
３…操作部
４…暗証番号を知る者
５…スピーカおよびマイク部
６…ドア
７…子機ＣＰＵ，周辺回路
８…ＣＣＤ
９…親機ＣＰＵ，周辺回路
１０…ＣＲＴ
１１…子機ＣＰＵ
１２…子機ＣＰＬＤ（CMOS PROGRAMMABLE LOGIC DEVICE)
１３…子機ＲＯＭ
１４…子機ＲＡＭ
１５…Ｅ2 ＰＲＯＭ
１６…赤外ＬＥＤ照明部
１７…外部ＣＣＤ
１９，４３…電源回路
２０…子機スピーカ
２１…子機マイク
２２…音声アンプ
３１…親機ＣＰＵ
３２…親機ＣＰＬＤ（CMOS PROGRAMMABLE LOGIC DEVICE)
３３…親機ＲＯＭ
３４…親機ＲＡＭ
３５…フラッシュＲＯＭ
３６…エンコーダ
３７…外部ＶＴＲ
３８…モニタ
３９…デコーダ
４０…フィールドメモリ
４１…オーバーレイＲＡＭ
４２…ＪＰＥＧ変換器
４４…メロディＩＣ
４５…リアルタイムクロックＩＣ
４６…スピーカ
４７…親機マイク
４８…音声アンプ
４９…親機スピーカ
【図１】
0003788698.tif 000002
【図２】
0003788698.tif 000003
【図３】
0003788698.tif 000004
【図４】
0003788698.tif 000005